(57)【要約】【課題】マチ部に被支持物を支持することができ、かつ軽量化することができるランドセルを提供する。【解決手段】ランドセル１００は、マチ部１ｂを含む収容部１と、収容部１のマチ部１ｂに取り付けられたマチベルト１０と、マチ部１ｂに着脱可能に取り付けられた支持部材２０とを備えている。マチベルト１０は、マチ部１ｂとマチベルト１０との間の隙間に被支持物を支持可能に構成されている。支持部材２０は、マチベルト１０から分離されており、かつマチベルト１０に支持された被支持物を下方から支持可能に構成されている。【選択図】図１
2020116168.tif 000002
【特許請求の範囲】
【請求項１】
マチ部を含む収容部と、
前記収容部の前記マチ部に取り付けられたマチベルトと、
前記マチ部に着脱可能に取り付けられた支持部材とを備え、
前記マチベルトは、前記マチ部と前記マチベルトとの間の隙間に被支持物を支持可能に構成されており、
前記支持部材は、前記マチベルトから分離されており、かつ前記マチベルトに支持された前記被支持物を下方から支持可能に構成されている、ランドセル。
【請求項２】
前記マチベルトは、前記マチ部と前記マチベルトとの間の前記隙間を調整可能に構成されている、請求項１に記載のランドセル。
【請求項３】
前記支持部材は、上下方向に折り畳み可能に構成されており、かつ折り畳まれた状態で前記マチ部に取り付けられるように構成されている、請求項１または２に記載のランドセル。
【発明の詳細な説明】
【技術分野】
【０００１】
本発明は、ランドセルに関するものである。
【背景技術】
【０００２】
従来、ランドセルのマチ部にリコーダなどを収容したケースを着脱可能に取り付けることが提案されている。たとえば、実用新案登録第３１３２０３３号公報（特許文献１）には、リコーダを収容する長尺物ケースが記載されている。この長尺物ケースは、ランドセルの側壁部（マチ部）の前ベルト（マチベルト）に係止される第１係止部と、ランドセルの底面側で背負い紐または背負い紐の取り付け金具に係止される第２係止部とを備えている。この長尺物ケースは、ランドセルのマチ部に沿ってマチベルトの上方から底面の下方にわたって延びている。
【先行技術文献】
【特許文献】
【０００３】
【特許文献１】実用新案登録第３１３２０３３号公報
【発明の概要】
【発明が解決しようとする課題】
【０００４】
上記公報に記載された長尺物ケースでは、長尺物ケースがランドセルのマチ部に沿ってマチベルトの上方から底面の下方にわたって延びている。このため、長尺物ケースを軽量化することは困難である。したがって、ランドセルを軽量化することは困難である。
【０００５】
本発明は上記課題に鑑みてなされたものであり、その目的は、マチ部に被支持物を支持することができ、かつ軽量化することができるランドセルを提供することである。
【課題を解決するための手段】
【０００６】
本発明のランドセルは、マチ部を含む収容部と、収容部のマチ部に取り付けられたマチベルトと、マチ部に着脱可能に取り付けられた支持部材とを備えている。マチベルトは、マチ部とマチベルトとの間の隙間に被支持物を支持可能に構成されている。支持部材は、マチベルトから分離されており、かつマチベルトに支持された被支持物を下方から支持可能に構成されている。
【発明の効果】
【０００７】
本発明のランドセルによれば、マチベルトは、マチ部とマチベルトとの間の隙間に被支持物を支持可能に構成されている。支持部材は、マチベルトから分離されており、かつマチベルトに支持された被支持物を下方から支持可能に構成されている。したがって、マチベルトと支持部材とによりマチ部に被支持物を支持することができる。そして、支持部材はマチベルトから分離されているため、支持部材を軽量化することができる。これにより、ランドセルを軽量化することができる。
【図面の簡単な説明】
【０００８】
【図１】本発明の一実施の形態におけるランドセルの概略斜視図である。
【図２】図１のＩＩ部の拡大斜視図である。
【図３】図２に示される支持部材がマチ部から取り外された状態を示す拡大斜視図である。
【図４】図２に示されるマチベルトが伸ばされ、かつ支持部材が開かれた状態を示す拡大斜視図である。
【図５】図４に示されるマチベルトおよび支持部材に被支持物が支持された状態を示す拡大斜視図である。
【図６】図３に示される支持部材が取り外されたマチ部に装飾部が取り付けられた状態を示す拡大斜視図である。
【図７】本発明に一実施の形態における変形例のランドセルでの図２に対応する部分の拡大斜視図である。
【図８】図７に示される支持部材がマチ部から取り外された状態を示す拡大斜視図である。
【図９】図７に示されるマチベルトおよび支持部材に被支持物が支持された状態を示す拡大斜視図である。
【図１０】図９に示される支持部材が取り外されたマチ部に装飾部が取り付けられた状態を示す拡大斜視図である。
【発明を実施するための形態】
【０００９】
以下、本発明の一実施の形態について図に基づいて説明する。なお、以下の図においては、同一または相当する部分に同一の符号を付すものとし、重複する説明は繰り返さない。
【００１０】
最初に本発明の一実施の形態におけるランドセルの構成について説明する。
図１を参照して、本実施の形態におけるランドセル１００は、収容部１と、蓋部２と、一対の背負いベルト３と、副収容部４と、ポケット部５と、マチベルト１０と、支持部材２０とを主に有している。
【００１１】
収容部１は、背部１ａと、一対のマチ部１ｂと、正面部１ｃと、底部１ｄと、開口部ＯＰとを有している。
【００１２】
本実施の形態では、開口部ＯＰが上側に配置されかつ底部１ｄが下側に配置された状態において、開口部ＯＰと底部１ｄとが向かい合う方向を上下方向Ｄ１とする。また、開口部ＯＰが上側に配置されかつ底部１ｄが下側に配置された状態において、一対のマチ部１ｂが互いに向かい合う方向を左右方向Ｄ２とする。また、開口部ＯＰが上側に配置されかつ底部１ｄが下側に配置された状態において、背部１ａと正面部１ｃとが向かい合う方向を前後方向Ｄ３とする。上下方向Ｄ１と、左右方向Ｄ２と、前後方向Ｄ３とは互いに直交している。
【００１３】
収容部１の上端に開口部ＯＰが設けられている。収容部１は、開口部ＯＰに連通する収容空間を有している。収容空間は、背部１ａ、一対のマチ部１ｂ、正面部１ｃおよび底部１ｄのそれぞれの内周面によって取り囲まれた空間である。収容部１は、開口部ＯＰを通して収容空間に教科書等を収容可能に構成されている。
【００１４】
背部１ａは、使用者がランドセル１００を背負ったときに使用者の背中に対向するように構成されている。背部１ａには、一対の背負いベルト３のそれぞれの一端が接続されている。
【００１５】
一対のマチ部１ｂは、左右方向Ｄ２において背部１ａの両側に接続されている。一対のマチ部１ｂは、左右方向Ｄ２に底部１ｄを挟んで互いに向かい合うように配置されている。一対のマチ部１ｂは、左右方向Ｄ２において底部１ｄの両端から立ち上がるように構成されている。
【００１６】
正面部１ｃは、一対のマチ部１ｂに接続されている。正面部１ｃは、前後方向Ｄ３に底部１ｄを挟んで背部１ａと向かい合うように配置されている。底部１ｄは、上下方向Ｄ１に開口部ＯＰと向かい合うように配置されている。底部１ｄには、一対の背負いベルト３のそれぞれの他端が接続されている。
【００１７】
蓋部２は、開口部ＯＰを開閉可能に収容部１に接続されている。具体的には、蓋部２は、収容部１の背部１ａの上端に接続されており、背部１ａの上端を基端にして開口部ＯＰを開閉可能に構成されている。蓋部２は、図１に示される閉じられた状態で、収容部１の開口部ＯＰおよび正面部１ｃならびに副収容部４およびポケット部５を覆うことが可能に構成されている。また、蓋部２は、図示しない開かれた状態で、収容部１の開口部ＯＰおよび正面部１ｃならびに副収容部４およびポケット部５を露出させることが可能に構成されている。
【００１８】
一対の背負いベルト３は、収容部１に接続されている。具体的には、一対の背負いベルト３のそれぞれの一端が図示しない連結部材を介して背部１ａの上端部に接続されている。一対の背負いベルト３のそれぞれの他端が図示しない接続部材を介して収容部１の底部１ｄに接続されている。一対の背負いベルト３は、左右に１本ずつ設けられている。一対の背負いベルト３は、使用者がランドセル１００を背負ったときに使用者の両肩に装着されるように構成されている。
【００１９】
正面部１ｃの外側に副収容部４が設けられている。副収容部４の外側にポケット部５が設けられている。副収容部４およびポケット部５は文房具などを収容可能に構成されている。副収容部４およびポケット部５は蓋部２が閉じられた状態において蓋部２と正面部１ｃとの間に配置されている。
【００２０】
図１および図２を参照して、マチベルト１０は、収容部１のマチ部１ｂに取り付けられている。マチベルト１０は、一対のマチ部１ｂおよび正面部１ｃに連続的に設けられている。マチベルト１０は、上下方向Ｄ１において収容部１の中央よりも開口部ＯＰ側に配置されている。マチベルト１０は、上下方向Ｄ１において副収容部４の上端とポケット部５の上端との間に配置されている。
【００２１】
支持部材２０は、上下方向Ｄ１においてマチ部１ｂの下部に配置されている。支持部材２０は、マチベルト１０から分離されている。支持部材２０は、上下方向Ｄ１においてマチベルト１０から離れて配置されている。つまり、支持部材２０は、上下方向Ｄ１においてマチベルト１０との間に隙間を空けて配置されている。支持部材２０は、上下方向Ｄ１においてマチベルト１０の下方に配置されている。
【００２２】
図２および図３を参照して、支持部材２０は、収容部１のマチ部１ｂに着脱可能に取り付けられている。支持部材２０は、上下方向Ｄ１に折り畳み可能に構成されている。支持部材２０は、折り畳まれた状態でマチ部１ｂに取り付けられるように構成されている。
【００２３】
支持部材２０は、本体部２１と、突出部２２と、内部空間２３と、係止部２４とを有している。本体部２１は、支持部材２０がマチ部１ｂに取り付けられた状態で、上下方向Ｄ１に折り畳み可能に構成されている。本体部２１は、支持部材２０が折り畳まれた状態で閉じられ、支持部材２０が伸ばされた状態で開くように構成されている。
【００２４】
本体部２１は、固定部２１ａと、開閉部２１ｂと、一対の側面部２１ｃとを有している。固定部２１ａは、支持部材２０がマチ部１ｂに取り付けられた状態で、マチ部１ｂの表面に沿うように構成されている。開閉部２１ｂは、固定部２１ａに対して開閉可能に構成されている。開閉部２１ｂは、支持部材２０が折り畳まれたときに閉じられ、支持部材２０が伸ばされたときに開かれるように構成されている。一対の側面部２１ｃは、開閉部２１ｂの開閉にあわせて開閉するように構成されている。
【００２５】
突出部２２は、支持部材２０が折り畳まれた状態で、本体部２１から上方に向けて突出するように構成されている。突出部２２は、使用者が支持部材２０を開閉する際に指で掴めるように構成されている。
【００２６】
内部空間２３は、本体部２１の内部の空間である。内部空間２３は、固定部２１ａと、開閉部２１ｂと、一対の側面部２１ｃとで取り囲まれた空間である。内部空間２３は、固定部２１ａ、開閉部２１ｂ、一対の側面部２１ｃの内側端に設けられた開口２５に連通するように構成されている。
【００２７】
係止部２４は、第１係止部材２４ａと、第２係止部材２４ｂと、第３係止部材２４ｃとを有している。第１係止部材２４ａおよび第２係止部材２４ｂは、本体部２１の固定部２１ａに取り付けられている。第１係止部材２４ａと、第２係止部材２４ｂとは、支持部材２０がマチ部１ｂに取り付けられた状態で、前後方向Ｄ３に並んで配置されている。第３係止部材２４ｃは、突出部２２に取り付けられている。第３係止部材２４ｃは、上下方向Ｄ１において第１係止部材２４ａおよび第２係止部材２４ｂよりも上方に配置されている。
【００２８】
マチ部１ｂに被係止部１ｅが設けられている。被係止部１ｅは、第１被係止部材１ｅ１と、第２被係止部材１ｅ２と、第３被係止部材１ｅ３とを有している。第１被係止部材１ｅ１は、第１係止部材２４ａに対応する位置に配置されている。第１係止部材２４ａは、第１被係止部材１ｅ１に係止可能に構成されている。第２被係止部材１ｅ２は、第２係止部材２４ｂに対応する位置に配置されている。第２係止部材２４ｂは、第２被係止部材１ｅ２に係止可能に構成されている。第３被係止部材１ｅ３は、第３係止部材２４ｃに対応する位置に配置されている。第３係止部材２４ｃは、第３被係止部材１ｅ３に係止可能に構成されている。第１係止部材２４ａおよび第１被係止部材１ｅ１、第２係止部材２４ｂおよび第２被係止部材１ｅ２、第３係止部材２４ｃおよび第３被係止部材１ｅ３は、たとえばスナップボタンである。
【００２９】
図２および図４を参照して、マチベルト１０は、長さを調整可能に構成されている。マチベルト１０は、マチ部１ｂとマチベルト１０との間の隙間ＧＰを調整可能に構成されている。
【００３０】
マチベルト１０は、第１ベルト１１と、第２ベルト１２とを有している。第１ベルト１１は、第１ベルト部材１１ａと、バックル１１ｂと、ピン１１ｃと、環状部材１１ｄとを有している。第１ベルト部材１１ａの先端にバックル１１ｂおよびピン１１ｃが取り付けられている。第１ベルト部材１１ａの根元はマチ部１ｂに取り付けられている。
【００３１】
第２ベルト１２は、第２ベルト部材１２ａと、複数のベルト穴１２ｂとを有している。第２ベルト部材１２ａは、マチ部１ｂに取り付けられている。第２ベルト部材１２ａは、先端が自由端となるようにマチ部１ｂに取り付けられている。複数のベルト穴１２ｂは、第２ベルト部材１２ａに設けられている。複数のベルト穴１２ｂは、マチベルト１０が延びる方向に沿って互いに間隔をあけて並んで配置されている。
【００３２】
第１ベルト１１と第２ベルト１２とはバックル１１ｂおよびピン１１ｃによって連結されている。バックル１１ｂおよびピン１１ｃによってマチベルト１０の長さ調整が可能となる。第１ベルト１１のバックル１１ｂに第２ベルト１２を挿通させた状態でピン１１ｃをベルト穴１２ｂに係止させることで第１ベルト１１と第２ベルト１２とが連結されている。第２ベルト１２の先端部は、環状部材１１ｄに通されている。ピン１１ｃとベルト穴１２ｂとの位置を変更することによってマチベルト１０の長さを調整することが可能となる。
【００３３】
図２に示されるように支持部材２０が折り畳まれた状態では、支持部材２０は、第１係止部材２４ａ、第２係止部材２４ｂおよび第３係止部材２４ｃによってマチ部１ｂに取り付けられている。他方、図４に示されるように支持部材２０が開かれた状態では、支持部材２０は、第１係止部材２４ａおよび第２係止部材２４ｂによってマチ部１ｂに取り付けられている。また、支持部材２０が開かれた状態では、第３係止部材２４ｃは第３被係止部材１ｅ３から外されており、第３係止部材２４ｃと第３被係止部材１ｅ３との係合は解除されている。
【００３４】
支持部材２０が折り畳まれた状態から開かれた状態に変形することにより支持部材２０の内部空間２３が拡大する。また、支持部材２０が折り畳まれた状態から開かれた状態に変形することにより支持部材２０の開口が拡大する。
【００３５】
図４および図５を参照して、マチベルト１０は、マチ部１ｂとマチベルト１０との間の隙間ＧＰに被支持物２００を支持可能に構成されている。マチベルト１０は、被支持物２００の形状および寸法にあわせて、マチ部１ｂとマチベルト１０との間の隙間ＧＰを調整可能に構成されている。図５では、被支持物２００の一例として飲料用ペットボトル２０１が示されている。マチ部１ｂとマチベルト１０との間の隙間ＧＰに飲料用ペットボトル２０１のキャップ２０１ａが挿入された状態で、マチ部１ｂとマチベルト１０とにより飲料用ペットボトル２０１のキャップ２０１ａが挟まれている。このようにして、マチベルト１０は、被支持物２００の上部を支持している。
【００３６】
支持部材２０は、マチベルト１０に支持された被支持物２００を下方から支持可能に構成されている。支持部材２０の開口２５は、支持部材２０がマチ部１ｂに取り付けられた状態で、支持部材２０が開かれたときに、上方に向けて配置されている。図５では、支持部材２０の開口２５から内部空間２３内に飲料用ペットボトル２０１の下部が挿入されている。この状態で、飲料用ペットボトル２０１は、支持部材２０に載置されている。このようにして、支持部材２０は、被支持物２００の下部を支持している。
【００３７】
図３および図６を参照して、本実施の形態におけるランドセル１００は、装飾部３０を有している。装飾部３０は、収容部１のマチ部１ｂに着脱可能に構成されている。具体的には、装飾部３０は、マチ部１ｂの被係止部１ｅに係止可能に構成されている。装飾部３０は、支持部材２０がマチ部１ｂから取り外されたときに、被係止部１ｅに係止可能に構成されている。装飾部３０は、被係止部１ｅを覆うように被係止部１ｅに係止可能に構成されている。装飾部３０は、被係止部１ｅを覆った状態で、外側に装飾が施されている。
【００３８】
本実施の形態では、装飾部３０は、第１装飾部材３１と、第２装飾部材３２と、第３装飾部材３３とを有している。第１装飾部材３１は、第１被係止部材１ｅ１に係止可能に構成されている。第２装飾部材３２は、第２被係止部材１ｅ２に係止可能に構成されている。第３装飾部材３３は、第３被係止部材１ｅ３に係止可能に構成されている。なお、第１装飾部材３１、第２装飾部材３２、第３装飾部材３３のいずれかが第１被係止部材１ｅ１、第２被係止部材１ｅ２、第３被係止部材１ｅ３のいずれかに互換可能に係止可能に構成されていてもよい。
【００３９】
次に、本実施の形態におけるランドセル１００の作用効果について説明する。
本実施の形態におけるランドセル１００によれば、マチベルト１０は、マチ部１ｂとマチベルト１０との間の隙間に被支持物２００を支持可能に構成されている。支持部材２０は、マチベルト１０から分離されており、かつマチベルト１０に支持された被支持物２００を下方から支持可能に構成されている。したがって、マチベルト１０と支持部材２０とによりマチ部１ｂに被支持物２００を支持することができる。そして、支持部材２０はマチベルト１０から分離されているため、支持部材２０を軽量化することができる。つまり、支持部材２０がマチ部１ｂに沿ってマチベルト１０の上方から底部１ｄの下方にわたって延びている場合に比べて、支持部材２０を軽量化することができる。これにより、ランドセル１００を軽量化することができる。
【００４０】
また、支持部材２０は、マチ部１ｂに着脱可能に取り付けられている。このため、被支持物２００を支持しないときには、支持部材２０をマチ部１ｂから取り外すことができる。このため、被支持物２００を支持しないときには、支持部材２０をマチ部１ｂから取り外すことにより、ランドセル１００をさらに軽量化することができる。
【００４１】
また、被支持物２００を支持しないときには、支持部材２０をマチ部１ｂから取り外すことにより、支持部材２０が机などに引っかかることを防止することができる。
【００４２】
なお、被支持物２００を支持しないときとしては、被支持物２００が飲料用ペットボトル２０１の場合には、たとえば冬季の気温が低いときが挙げられる。この場合には、水分補給のために飲料用ペットボトル２０１をマチ部１ｂに支持することへの要求が小さい。また、被支持物２００を支持しないときとしては、被支持物２００がリコーダケース２０２の場合には、たとえばリコーダを授業で使わない学年のときが挙げられる。この場合には、授業のためにリコーダケース２０２をマチ部１ｂに支持することへの要求が小さい。
【００４３】
本実施の形態におけるランドセル１００によれば、マチベルト１０は、マチ部１ｂとマチベルト１０との間の隙間ＧＰを調整可能に構成されている。このため、被支持物２００にあわせてマチ部１ｂとマチベルト１０との間の隙間ＧＰを調整することができる。したがって、マチベルト１０で被支持物２００をしっかりと支持することができる。
【００４４】
本実施の形態におけるランドセル１００によれば、支持部材２０は、上下方向Ｄ１に折り畳み可能に構成されており、かつ折り畳まれた状態でマチ部１ｂに取り付けられるように構成されている。このため、被支持物２００を支持しないときには、支持部材２０が折り畳まれた状態でマチ部１ｂに取り付けられることで、支持部材２０が机などに引っかかることを抑制することができる。
【００４５】
本実施の形態のランドセル１００によれば、支持部材２０がマチ部１ｂから取り外されたときに、装飾部３０により被係止部１ｅを覆うことができる。このため、装飾部３０によってランドセル１００の装飾性を向上させることができる。つまり、被係止部１ｅが露出されている場合に比べて、ランドセル１００の装飾性を向上させることができる。
【００４６】
次に、本実施の形態における変形例のランドセル１００について説明する。なお、特に説明しない限り、本実施の形態における変形例のランドセル１００は、上述した実施の形態のランドセル１００と同様の構成を有するため、同一の要素については同一の符号を付し、その説明を繰り返さない。
【００４７】
図７〜図１０を参照して、本実施の形態における変形例のランドセル１００では、上記の本実施の形態におけるランドセル１００に比べて、支持部材２０の構成が主に異なっている。また、被支持物２００の一例として飲料用ペットボトルではなくリコーダケース２０２が示されている点で異なっている。さらに、装飾部３０の装飾が異なっている。
【００４８】
図７および図８を参照して、支持部材２０は、収容部１のマチ部１ｂに着脱可能に取り付けられている。支持部材２０は、カップ状に構成されている。支持部材２０は、本体部２１と、内部空間２３と、係止部２４とを有している。本体部２１は、固定部２１ａと、周壁部２１ｄと、底２１ｅとを有している。固定部２１ａは、支持部材２０がマチ部１ｂに取り付けられた状態でマチ部１ｂに表面に沿うように構成されている。
【００４９】
本体部２１は、本体部２１の上端に設けられた開口２５から底２１ｅに向けて先細るように構成されている。本体部２１は、開口２５から底２１ｅに向けて開口２５の面積が小さくなるように構成されている。本体部２１は、支持部材２０がマチ部１ｂに取り付けられた状態で、開口２５が前後方向Ｄ３に長軸を有する楕円形状を有するように構成されている。
【００５０】
固定部２１ａと、周壁部２１ｄと、底２１ｅとの間に下部開口２６が設けられている。下部開口２６の開口面積は、開口２５の開口面積よりも小さい。本実施の形態では、下部開口２６は、前後方向Ｄ３において本体部２１の両側に設けられている。
【００５１】
内部空間２３は、本体部２１の内部の空間である。内部空間２３は、固定部２１ａと、周壁部２１ｄと、底２１ｅとで取り囲まれた空間である。内部空間２３は、開口２５に連通するように構成されている。内部空間２３は、下部開口２６に連通するように構成されている。
【００５２】
係止部２４は、第１係止部材２４ａと、第２係止部材２４ｂとを有している。第１係止部材２４ａおよび第２係止部材２４ｂは、本体部２１の固定部２１ａに取り付けられている。第１係止部材２４ａと、第２係止部材２４ｂとは、支持部材２０がマチ部１ｂに取り付けられた状態で、前後方向Ｄ３に並んで配置されている。
【００５３】
マチ部１ｂに被係止部１ｅが設けられている。被係止部１ｅは、第１被係止部材１ｅ１と、第２被係止部材１ｅ２とを有している。第１被係止部材１ｅ１は、第１係止部材２４ａに対応する位置に配置されている。第１係止部材２４ａは、第１被係止部材１ｅ１に係止可能に構成されている。第２被係止部材１ｅ２は、第２係止部材２４ｂに対応する位置に配置されている。第２係止部材２４ｂは、第２被係止部材１ｅ２に係止可能に構成されている。
【００５４】
図９を参照して、マチベルト１０は、マチ部１ｂとマチベルト１０との間の隙間ＧＰに被支持物２００を支持可能に構成されている。図９では、被支持物２００の一例としてリコーダケース２０２が示されている。マチ部１ｂとマチベルト１０との間の隙間ＧＰにリコーダケース２０２の上部の一部が挿入された状態で、マチ部１ｂとマチベルト１０とによりリコーダケース２０２の上部の一部が挟まれている。このようにして、マチベルト１０は、被支持物２００の上部を支持している。
【００５５】
支持部材２０は、マチベルト１０に支持された被支持物２００を下方から支持可能に構成されている。支持部材２０の開口２５は、支持部材２０がマチ部１ｂに取り付けられた状態で、常に上方に向けて配置されている。図９では、支持部材２０の開口２５から内部空間２３内にリコーダケース２０２の下部が挿入されている。この状態でリコーダケース２０２は、支持部材２０に載置されている。このようにして、支持部材２０は、被支持物２００の下部を支持している。
【００５６】
図８および図１０を参照して、本実施の形態における変形例のランドセル１００は、装飾部３０を有している。本実施の形態における変形例では、装飾部３０は、第１装飾部材３１と、第２装飾部材３２とを有している。第１装飾部材３１は、第１被係止部材１ｅ１に係止可能に構成されている。第２装飾部材３２は、第２被係止部材１ｅ２に係止可能に構成されている。
【００５７】
本実施の形態における変形例のランドセル１００によれば、マチベルト１０と支持部材２０とにより被支持物２００を支持することができる。そして、支持部材２０はマチベルト１０から分離されているため、支持部材２０を軽量化することができる。これにより、ランドセル１００を軽量化することができる。
【００５８】
また、被支持物２００を支持しないときには、支持部材２０をマチ部１ｂから取り外すことができる。このため、被支持物２００を支持しないときには、支持部材２０をマチ部１ｂから取り外すことにより、ランドセル１００をさらに軽量化することができる。
【００５９】
また、被支持物２００を支持しないときには、支持部材２０をマチ部１ｂから取り外すことにより、支持部材２０が机などに引っかかることを防止することができる。
【００６０】
本実施の形態における変形例のランドセル１００によれば、被支持物２００にあわせてマチ部１ｂとマチベルト１０との間の隙間ＧＰを調整することができる。したがって、マチベルト１０で被支持物２００をしっかりと支持することができる。
【００６１】
本実施の形態における変形例のランドセル１００によれば、支持部材２０の開口２５は、支持部材２０がマチ部１ｂに取り付けられた状態で、常に上方に向けて配置されている。このため、被支持物２００の下部を支持部材２０の開口２５から内部空間２３に挿入することが容易となる。これにより、被支持物２００を支持部材２０に載置することが容易となる。
【００６２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【符号の説明】
【００６３】
１  収容部、１ａ  背部、１ｂ  マチ部、１ｃ  正面部、１ｄ  底部、１ｅ  被係止部、２  蓋部、３  背負いベルト、４  副収容部、５  ポケット部、１０  マチベルト、１１  第１ベルト、１１ａ  第１ベルト部材、１１ｂ  バックル、１１ｃ  ピン、１１ｄ  環状部材、１２  第２ベルト、１２ａ  第２ベルト部材、１２ｂ  ベルト穴、２０  支持部材、２１  本体部、２１ａ  固定部、２１ｂ  開閉部、２１ｃ  側面部、２１ｄ  周壁部、２１ｅ  底、２２  突出部、２３  内部空間、２４  係止部、２５  開口、２６  下部開口、３０  装飾部、１００  ランドセル、２００  被支持物、２０１  飲料用ペットボトル、２０２  リコーダケース、Ｄ１  上下方向、Ｄ２  左右方向、Ｄ３  前後方向、ＧＰ  隙間、ＯＰ  開口部。
【図１】
2020116168.tif 000003
【図２】
2020116168.tif 000004
【図３】
2020116168.tif 000005
【図４】
2020116168.tif 000006
【図５】
2020116168.tif 000007
【図６】
2020116168.tif 000008
【図７】
2020116168.tif 000009
【図８】
2020116168.tif 000010
【図９】
2020116168.tif 000011
【図１０】
2020116168.tif 000012
【手続補正書】
【提出日】令和2年3月16日(2020.3.16)
【手続補正１】
【補正対象書類名】特許請求の範囲
【補正対象項目名】全文
【補正方法】変更
【補正の内容】
【特許請求の範囲】
【請求項１】
マチ部を含む収容部と、
前記収容部の前記マチ部に取り付けられたマチベルトと、
前記マチ部に着脱可能に取り付けられた支持部材とを備え、
前記マチベルトは、前記マチ部と前記マチベルトとの間の隙間に被支持物を支持可能に構成されており、
前記支持部材は、前記マチベルトから分離されており、かつ前記マチベルトに支持された前記被支持物を下方から支持可能に構成されており、
前記支持部材は、本体部と、内部空間とを有し、
前記本体部は、固定部と、開閉部と、一対の側面部とを有し、
前記固定部は、前記支持部材が前記マチ部に取り付けられた状態で、前記マチ部の表面に沿うように構成されており、
前記開閉部は、前記固定部に対して開閉可能に構成されており、
前記一対の側面部は、前記開閉部の開閉にあわせて開閉するように構成されており、
前記内部空間は、前記固定部と、前記開閉部と、前記一対の側面部とで取り囲まれた空間であり、
前記支持部材は、上下方向に折り畳み可能に構成されており、かつ折り畳まれた状態で前記マチ部に取り付けられるように構成されている、ランドセル。
【請求項２】
前記マチベルトは、第１ベルトと、第２ベルトとを有し、
前記第１ベルトは、第１ベルト部材と、バックルと、ピンとを有し、
前記第１ベルト部材の先端に前記バックルおよび前記ピンが取り付けられており、
前記第１ベルト部材の根元は前記マチ部に取り付けられており、
前記第２ベルトは、第２ベルト部材を有し、
前記第２ベルト部材は、前記マチ部に取り付けられており、
複数のベルト穴は、前記第２ベルト部材に設けられており、前記マチベルトが延びる方向に沿って互いに間隔をあけて並んで配置されており、
前記第１ベルトの前記バックルに前記第２ベルトを挿通させた状態で前記ピンを前記ベルト穴に係止させることで前記第１ベルトと前記第２ベルトとが連結されており、
前記マチベルトは、前記ピンと前記ベルト穴との位置を変更することによって前記マチ部と前記マチベルトとの間の前記隙間を調整可能に構成されている、請求項１に記載のランドセル。
【手続補正２】
【補正対象書類名】明細書
【補正対象項目名】０００６
【補正方法】変更
【補正の内容】
【０００６】
本発明のランドセルは、マチ部を含む収容部と、収容部のマチ部に取り付けられたマチベルトと、マチ部に着脱可能に取り付けられた支持部材とを備えている。マチベルトは、マチ部とマチベルトとの間の隙間に被支持物を支持可能に構成されている。支持部材は、マチベルトから分離されており、かつマチベルトに支持された被支持物を下方から支持可能に構成されている。支持部材は、本体部と、内部空間とを有している。本体部は、固定部と、開閉部と、一対の側面部とを有している。固定部は、支持部材がマチ部に取り付けられた状態で、マチ部の表面に沿うように構成されている。開閉部は、固定部に対して開閉可能に構成されている。一対の側面部は、開閉部の開閉にあわせて開閉するように構成されている。内部空間は、固定部と、開閉部と、一対の側面部とで取り囲まれた空間である。支持部材は、上下方向に折り畳み可能に構成されており、かつ折り畳まれた状態でマチ部に取り付けられるように構成されている。